(57)【特許請求の範囲】
【請求項１】
胴部と、
前記胴部の本体部に対して径方向内側に折り曲げられた折り返し部に取り付けられる吸音部材と、を備えるドラム。
【請求項２】
前記折り返し部に取り付けられ、前記胴部の振動を抑える制振部材を備える請求項１に記載のドラム。
【請求項３】
前記制振部材と前記吸音部材とが、前記折り返し部に対して順次積層して取り付けられる請求項２に記載のドラム。
【請求項４】
前記吸音部材が、前記胴部の軸方向外側に向く前記折り返し部の第一面に取り付けられ、
前記制振部材が、前記折り返し部のうち前記第一面と反対側の第二面に取り付けられる請求項２に記載のドラム。
【請求項５】
前記吸音部材が、前記折り返し部に対して着脱自在である請求項１から請求項４のいずれか一項に記載のドラム。
【発明の詳細な説明】
【技術分野】
【０００１】
本発明は、ドラムに関する。
【背景技術】
【０００２】
一般に、アコースティックドラムでは、ドラムヘッドを打撃することで音を発生する。この発生音の音色は、主に、アタック音と呼ばれる打撃した瞬間の立ち上がりと、サステイン（音の伸び）と呼ばれるドラムヘッドの振動の自由減衰により決定される。
ドラムを演奏する際には、音楽のジャンルや演奏する場所などの用途に応じて、上記したアタック音やサステインの調整が必要となる場合がある。良好とされるドラムの発生音には、例えば、アタック音の立ち上がりが良好であり、かつ、発生音のうち倍音のサステインが適切な長さで減衰するような音がある。
【０００３】
従来では、倍音のサステインを調整する工夫が提案されている。
例えば、特許文献１，２には、ドラムヘッドの打面やこれと反対側の面の外周領域に各種ミュート部材を取り付けた構造が開示されている。これらの構造では、ドラムヘッドを打撃した際のドラムヘッドの外周領域の振動をミュート部材によって抑制することで、倍音のサステインを短くすることができる。
また、非特許文献１には、金属製のシェル（胴部）のうちエッジの折り返し部分の凹部に、シリコンを充填する構造が開示されている。この構造では、シリコンによってシェルエッジ部の損失を増やし、ドラムヘッド外周部の振動を抑制することで、倍音のサステインを短くすることができる。
【先行技術文献】
【特許文献】
【０００４】
【特許文献１】米国特許第５６３７８１９号明細書
【特許文献２】米国特許第４５８９３２３号明細書
【非特許文献】
【０００５】
【非特許文献１】“Soul Toul Produce Snare Drums”、[online]、星野楽器株式会社、〔平成２７年１月２１日検索〕、インターネット〈URL:http://www.tamadrum.co.jp/japan/products/snare/soul_signature_snare/index.html 〉
【発明の概要】
【発明が解決しようとする課題】
【０００６】
しかしながら、特許文献１，２の構造では、ドラムヘッドの振動態様が、ミュート部材を設けない通常のドラムと比較して大きく変化してしまう。また、ドラムヘッドを打撃した瞬間から発生音が減衰して消えるまで、ドラムヘッドの振動がミュート部材によって抑制され続ける。このため、ミュート部材を用いたドラムによる発生音の音色が、通常のドラムによる発生音の音色と大きく異なってしまう、すなわち、ドラム本来の音色が失われてしまう、という問題がある。
【０００７】
また、非特許文献１の構造では、シェルの制振効果を高めるために、すなわち、倍音のサステインをより短くするために、シェルのエッジ部分へのシリコンの充填量を増やす必要がある。この場合、シェルの形状を変える等してシェルの凹部を大きく形成しなければならず、冗長な構造となってしまう虞がある。
【０００８】
本発明は、上述した事情に鑑みてなされたものであって、ドラム本来の音色を損なうことなく、かつ、単純な構造で倍音のサステインを短くすること可能なドラムを提供することを目的とする。
【課題を解決するための手段】
【０００９】
上記課題を解決するために、本発明のドラムは、胴部と、前記胴部の本体部に対して径方向内側に折り曲げられた折り返し部に取り付けられる吸音部材と、を備えることを特徴とする。
上記ドラムにおいて、ドラムヘッドを胴部の開口に取り付けた状態では、胴部の開口の内側に配されるドラムヘッドの膜部の外周領域が、折り返し部に取り付けられた吸着部材に対向する。
【発明の効果】
【００１０】
本発明によれば、膜部の外周領域の振動に伴って放射される倍音を吸音部材によって吸音すると共に、膜部の外周領域の振動減衰を早めることができるため、ドラムの外部に放射される倍音のサステインを短くすることができる。
また、本発明によれば、吸音部材がドラムヘッドに接触しないため、ドラム本来の音色を損なうことなく、倍音のサステインを短くすることができる。
また、本発明によれば、吸音部材を胴部に取り付ける単純な構造を採用するため、胴部の形状を変えることなく、倍音のサステインを短くする度合いを調整することが可能となる。
【図面の簡単な説明】
【００１１】
【図１】本発明の第一実施形態に係るスネアドラムを示す断面図である。
【図２】図１のスネアドラムの要部を示す拡大断面図である。
【図３】図２のスネアドラムの変形例を示す拡大断面図である。
【図４】本発明の第二実施形態に係るスネアドラムの要部を示す拡大断面図である。
【図５】図４のスネアドラムの変形例を示す拡大断面図である。
【図６】本発明の他の実施形態に係るスネアドラムの要部を示す拡大断面図である。
【図７】本発明の他の実施形態に係るスネアドラムの要部を示す拡大断面図である。
【発明を実施するための形態】
【００１２】
〔第一実施形態〕
以下、図１，２を参照して本発明の第一実施形態について説明する。
図１，２に示すように、この実施形態に係るドラムは、スネアドラム１であり、筒状のシェル（胴部）２と、シェル２の第一開口に取り付けられて打面として使用されるバターヘッド（ドラムヘッド）３Ａと、シェル２の第二開口に取り付けられるスネアサイドヘッド（ドラムヘッド）３Ｂと、を備える。以下の説明では、バターヘッド３Ａ、スネアサイドヘッド３Ｂをドラムヘッド３と呼ぶことがある。
【００１３】
シェル２の各開口の縁部１１には、後述するドラムヘッド３のヘッド部２１が押し付けられる。各開口の縁部１１は、その先端１２からシェル２の径方向内側に向かうにしたがってシェル２の軸方向に傾斜する傾斜内面１３を有する。傾斜内面１３は、シェル２の軸方向外側に向いている。
シェル２は、例えば木製であってもよいが、本実施形態では金属製である。このため、本実施形態では、シェル２の各開口の縁部１１が、筒状に形成されたシェル２の本体部１４に対して径方向内側に折り曲げられた板状の折り返し部１５を有する。折り返し部１５は、本体部１４に対して径方向内側に向かうにしたがって本体部１４の軸方向内側に傾斜して延びる。これにより、折り返し部１５の一方の面（主面）１５ａ（以下、第一面１５ａと呼ぶ。）は、前述した傾斜内面１３をなす。
【００１４】
バターヘッド３Ａ、スネアサイドヘッド３Ｂの各ドラムヘッド３は、いずれもＰＥＴ（ポリエチレンテレフタレート）などのフィルムからなる平面視円形のヘッド部２１を備える。ヘッド部２１は、シェル２の各開口に取り付けた状態でシェル２の各開口の縁部１１の内側に配される膜部２２を有する。膜部２２は、バターヘッド３Ａの膜部２２を打撃した際に有効に振動する部分である。以下の説明では、膜部２２を有効振動膜部２２と呼ぶ。
また、ドラムヘッド３は、ヘッド部２１の外縁に連結されて、ヘッド部２１を平面視円形状に保持するフレッシュフープ２３を備える。フレッシュフープ２３の内径寸法はシェル２の外径寸法よりも大きく設定されている。
【００１５】
また、スネアドラム１は、スネアサイドヘッド３Ｂに対して選択的に押し付けられるスナッピ４と、各ドラムヘッド３のヘッド部２１をシェル２の各開口に張り付けて有効振動膜部２２にテンションを付与する張設部５と、備える。
張設部５は、従来周知のラグ（不図示）、フープ３１及びチューニングボルト（不図示）によって構成されている。この構成では、ラグに螺着されたチューニングボルトを締め付けることで、フープ３１がドラムヘッド３のフレッシュフープ２３をシェル２のうちドラムヘッド３を取り付けた一方の開口側から他方の開口側に向けて付勢する。これによって、有効振動膜部２２にテンションが付与される。
【００１６】
そして、本実施形態のスネアドラム１は、シェル２の内周部に取り付けられる吸音部材６を備える。シェル２の内周部は、シェル２の内周面だけではなく、シェル２の内部に位置するシェル２の開口の縁部、シェル２の内周面の近傍領域（例えば、シェル２をその軸方向から見て有効振動膜部２２の外周領域と重なるシェル２の内周面の径方向内側の領域）を含む。
吸音部材６は、音の一部を熱エネルギーに変換して吸収するものであればよく、例えば、内部から表面まで連なる多数の気泡（連続気泡）を有する多孔質形状に形成されたウレタンや、フェルトなどであってよい。
【００１７】
吸音部材６は、シェル２の開口に対してシェル２の軸方向内側に間隔をあけて配されると共に、シェル２の開口からシェル２の軸方向外側に向けられている。すなわち、吸音部材６は、シェル２の内部側から、シェル２の開口に取り付けられたドラムヘッド３の有効振動膜部２２の外周領域に対向するようにシェル２に取り付けられる。
本実施形態において、吸音部材６は、シェル２の縁部１１の傾斜内面１３に接着等によって取り付けられる。この状態において、吸音部材６と有効振動膜部２２の外周領域との間には隙間がある。吸音部材６は、有効振動膜部２２が振動しても有効振動膜部２２の外周領域に接触しない。
【００１８】
吸音部材６は、例えば図２のように傾斜内面１３上のみに配されてもよいが、例えば傾斜内面１３のうちシェル２の径方向内側の端縁からシェル２の径方向内側にはみ出してもよい。
また、吸音部材６は、例えば傾斜内面１３の周方向全体に取り付けられてもよいが、例えば周方向の一部のみに取り付けられてもよい。また、吸音部材６は、例えば傾斜内面１３に一つだけ取り付けられてもよいが、例えば傾斜内面１３の周方向に間隔をあけて複数配列されてもよい。
図２では、バターヘッド３Ａの有効振動膜部２２の外周領域に対向する位置に吸音部材６を配した構造を例示しているが、例えばスネアサイドヘッド３Ｂの有効振動膜部２２の外周領域に対向する位置に吸音部材６を配してもよい。
【００１９】
本実施形態のスネアドラム１によれば、ドラムスティック等によりバターヘッド３Ａを打撃して有効振動膜部２２が振動した際、有効振動膜部２２の外周領域の振動に伴って放射される倍音を吸音部材６によって吸音すると共に、有効振動膜部２２の外周領域の振動減衰を早めることができる。このため、スネアドラム１の外部に放射される倍音のサステインを短くすることができる。
【００２０】
この点について詳細に説明すれば、外周領域における有効振動膜部２２の振動は、主に倍音の放射を引き起こすため、吸音部材６では放射音のうち倍音を効果的に吸音できる。
また、有効振動膜部２２の振動は、その周辺の空気の振動の影響を大きく受ける（これを構造音響連成振動と呼ぶ。）が、吸音部材６が有効振動膜部２２の外周領域に対向する位置に配されていると、有効振動膜部２２の外周領域の振動に伴う周囲空気の振動態様が吸音部材６によって変化する。このため、有効振動膜部２２の外周領域の振動が構造音響連成振動の影響によって抑制され、有効振動膜部２２の外周領域の振動減衰を早めることができる。したがって、スネアドラム１の外部に放射される倍音のサステインを短くすることができる。
スネアドラム１では、引き締まった音が求められることが多いため、倍音のサステインを短くして倍音の不要な鳴りを防ぐことは非常に有効である。また、スネアドラム１では、バターヘッド３Ａがドラムスティック等で打撃されることで大きく振動するため、バターヘッド３Ａが取り付けられるシェル２の第一開口の縁部１１に吸音部材６を取り付けることは、非常に有効である。
【００２１】
また、本実施形態のスネアドラム１によれば、吸音部材６がドラムヘッド３に接触しないため、吸音部材６を設けても、ドラムヘッド３の振動態様が吸音部材６を設けない通常のドラムから変化しない。したがって、ドラム本来の音色を損なうことなく、倍音のサステインを短くすることができる。具体的には、アタック音の立ち上がりの良さを維持しながら、倍音のサステインを短くすることができる。
また、本実施形態のスネアドラム１では、吸音部材６をシェル２に取り付ける単純な構造を採用するため、シェル２の形状を変えることなく、吸音部材６によって倍音のサステインを短くする度合いを調整することが可能となる。例えば、シェル２に取り付けられる吸音部材６の大きさや数を変えるだけで、倍音のサステインを短くする度合いを調整することができる。
【００２２】
また、本実施形態によれば、吸音部材６がシェル２の開口の縁部１１に取り付けられるため、吸音部材６を容易に有効振動膜部２２の外周領域の近くに配することができる。
【００２３】
また、本実施形態によれば、吸音部材６が通常の金属製のシェル２に存在する折り返し部１５に取り付けられる。このため、吸音部材６を取り付けるための構造を新たにシェル２に設ける必要がない。すなわち、吸音部材６を簡単にシェル２に取り付けることができる。
【００２４】
上記した第一実施形態において、吸音部材６は、例えば図３に示すように、傾斜内面１３である第一面１５ａと反対側に位置する折り返し部１５の第二面（第二主面）１５ｂに取り付けられてもよい。この場合、吸音部材６は、第二面１５ｂのうちシェル２の径方向内側の端縁からシェル２の径方向内側にはみ出すように取り付けられればよい。これにより、吸音部材６の一部を有効振動膜部２２の外周領域に対向させることができる。
ただし、吸音部材６は、有効振動膜部２２の外周領域により近い位置に配された方が、倍音のサステインをより短くできるため、図２のように第一面１５ａに取り付けられることがより好ましい。
【００２５】
〔第二実施形態〕
次に、図４を参照して本発明の第二実施形態について説明する。本実施形態では、第一実施形態と同一の構成要素について同一符号を付す等して、その説明を省略する。
【００２６】
この実施形態に係るドラムは、図１に例示した第一実施形態と同様のスネアドラムである。図４に示すように、この実施形態に係るスネアドラムのシェル２は、第一実施形態と同様の折り返し部１５を有する。その上で、本実施形態のスネアドラムは、第一実施形態と同様の吸音部材６と、シェル２に取り付けられ、シェル２の振動を抑える制振部材７と、を備える。
制振部材７は、例えばブチルゴム、酢酸ビニル等のように内部損失の多いゴム材料によって構成される。また、制振部材７は、例えば上記したゴム材料を金属板に積層した拘束型の制振部材であってもよい。制振部材７が拘束型である場合、金属板は、例えばアルミニウム、ステンレス鉄等の材料からなる一般的な鋼板であってよい。
【００２７】
本実施形態において、吸音部材６は、第一実施形態と同様に、傾斜内面１３をなす折り返し部１５の第一面１５ａに取り付けられている。
一方、制振部材７は、シェル２の任意の部分に取り付けられてよいが、本実施形態では、シェル２の開口の縁部１１に取り付けられる。また、本実施形態では、制振部材７が、傾斜内面１３である第一面１５ａと反対側に位置する折り返し部１５の第二面１５ｂに接着等により取り付けられる。制振部材７が拘束型である場合、制振部材７は、金属板とシェル２（折り返し部１５）との間にゴム材料が介在するように取り付けられればよい。
【００２８】
制振部材７は、例えば第二面１５ｂの周方向全体に取り付けられてもよいが、例えば周方向の一部のみに取り付けられてもよい。また、制振部材７は、例えば第二面１５ｂに一つだけ取り付けられてもよいが、例えば第二面１５ｂの周方向に間隔をあけて複数配列されてもよい。
図４では、バターヘッド３Ａが取り付けられるシェル２の第一開口の縁部１１に制振部材７を取り付ける構造を例示しているが、例えばスネアサイドヘッド３Ｂが取り付けられるシェル２の第二開口の縁部１１に制振部材７を取り付けてもよい。
【００２９】
本実施形態のスネアドラムによれば、第一実施形態と同様の効果を奏する。
また、本実施形態のスネアドラムによれば、シェル２に制振部材７が取り付けられるため、スネアドラムの外部に放射される倍音のサステインをさらに短くすることができる。
【００３０】
この点について詳細に説明すれば、有効振動膜部２２は、張力を付与されていることで、シェル２の開口の縁部１１を境界条件（単純支持境界）として振動する。このため、シェル２の縁部１１は、有効振動膜部２２の振動を反射させてこの振動を維持させる機能、及び、有効振動膜部２２の振動がシェル２に伝わることで有効振動膜部２２から振動エネルギーを奪う機能を有する。
本実施形態のスネアドラムでは、シェル２に伝播した有効振動膜部２２の振動が制振部材７によって抑えられるため、有効振動膜部２２から奪う振動エネルギーを高めることができる。特に本実施形態では、制振部材７がシェル２の開口の縁部１１に取り付けられるため、有効振動膜部２２から奪う振動エネルギーをさらに高めることができる。これにより、有効振動膜部２２の振動減衰を早めることができる。したがって、スネアドラムの外部に放射される倍音のサステインをさらに短くすることができる。
【００３１】
また、吸音部材６では比較的高次の倍音のサステインを短くでき、制振部材７では比較的低次の倍音のサステインを短くできる。本実施形態のスネアドラムは、吸音部材６及び制振部材７の両方を備えるため、低次から高次までの幅広い倍音のサステインを短くできる。
【００３２】
また、本実施形態のスネアドラムでは、制振部材７をシェル２に取り付ける単純な構造を採用するため、シェル２の形状を変えることなく、倍音のサステインを短くする度合いを容易に調整することが可能となる。例えば、シェル２に取り付けられる吸音部材６の大きさを変えることで、倍音のサステインを短くする度合いを容易に調整できる。
【００３３】
また、本実施形態のスネアドラムによれば、制振部材７が折り返し部１５の第二面１５ｂに取り付けられるため、制振部材７を吸音部材６と同様に折り返し部１５の第一面１５ａ（傾斜内面１３）に取り付ける場合と比較して、吸音部材６を取り付けるスペースを広く確保することができる。したがって、制振部材７を設けても、吸音部材６による有効振動膜部２２の外周領域の振動減衰の効果を十分に得ることが可能となる。
【００３４】
上記した第二実施形態においては、例えば吸音部材６が折り返し部１５の第二面１５ｂに取り付けられ、制振部材７が折り返し部１５の第一面１５ａ（傾斜内面１３）に取り付けられてもよい。この場合、吸音部材６は、図３のように第二面１５ｂのうちシェル２の径方向内側の端縁からシェル２の径方向内側にはみ出すように取り付けられればよい。
【００３５】
また、制振部材７と吸音部材６とは、例えば図５に示すように、シェル２に対して順次積層して取り付けられてもよい。この場合、吸音部材６及び制振部材７は一体に固定されているとよい。また、制振部材７が拘束型である場合には、制振部材７の金属板がゴム材料と吸音部材６との間に介在するとよい。積層された吸音部材６及び制振部材７は、例えば図５のように折り返し部１５の第一面１５ａ（傾斜内面１３）に取り付けられてもよいが、例えば第二面１５ｂに取り付けられてもよい。吸音部材６が第二面１５ｂに取り付けられる場合、吸音部材６は図３に例示したように配されればよい。
【００３６】
この構成では、吸音部材６及び制振部材７がシェル２の同一部位（図５において傾斜内面１３）に取り付けられるため、シェル２における吸音部材６及び制振部材７の取付領域をコンパクトに抑えることができる。
また、吸音部材６及び制振部材７が一体に固定されていれば、吸音部材６及び制振部材７を同時にシェル２に取り付けることができる。すなわち、吸音部材６及び制振部材７を容易にシェル２に取り付けることができる。
【００３７】
以上、本発明について詳細に説明したが、本発明は上記実施形態に限定されるものではなく、本発明の趣旨を逸脱しない範囲において種々の変更を加えることが可能である。
【００３８】
吸音部材６や制振部材７は、シェル２に固定されることに限らず、例えばシェル２に対して着脱自在に取り付けられてもよい。
吸音部材６や制振部材７をシェル２に対して着脱自在とする手段（着脱手段）は、例えば図６に示すように、折り返し部１５を挟み込むクリップ部材８であってもよい。クリップ部材８は、一対の狭持片８Ａ，８Ｂを有する断面Ｕ字状に形成され、一対の狭持片８Ａ，８Ｂを互いに近づける方向に付勢する。
【００３９】
クリップ部材８には、例えば図６のように吸音部材６及び制振部材７が固定されているが、例えば吸音部材６のみが固定されてもよい。また、制振部材７と吸音部材６とは、例えば図６のように互いに異なる狭持片８Ａ，８Ｂの外側の面に固定されているが、例えば同一の狭持片８Ａの外側の面に順次積層して固定されてもよい。また、例えば、制振部材７がクリップ部材８として構成され、吸音部材６のみをクリップ部材８の狭持片８Ａの外側の面に固定してもよい。この場合、制振部材７は例えば拘束型であるとよい。
【００４０】
また、吸音部材６や制振部材７をシェル２に対して着脱自在とする手段（着脱手段）は、例えば図７に示すように、シェル２の開口の縁部１１に引っ掛けるフック部材９であってもよい。
フック部材９は、シェル２の開口の縁部１１の先端を介して互いに連なるシェル２の外周面及び傾斜内面１３に倣う断面Ｖ字状に形成されている。フック部材９をシェル２の縁部１１に取り付けた状態では、フック部材９の第一延出部９Ａがシェル２の傾斜内面１３に隙間なく接触し、第一延出部９Ａと異なる方向に延びるフック部材９の第二延出部９Ｂがシェル２の外周面に隙間なく接触する。
【００４１】
フック部材９は、例えば開口の縁部１１に対応するリング状に形成されてもよいし、例えば開口の縁部１１の周方向の一部に対応する円弧状に形成されてもよい。また、フック部材９は、少なくともフック部材９をシェル２の縁部１１に取り付けた状態で断面Ｖ字形状となっていればよく、フック部材９をシェル２から取り外した状態において必ずしも断面Ｖ字形状に保持されなくてもよい。すなわち、フック部材９は例えば可撓性を有してもよい。
【００４２】
フック部材９には、例えば図７のように吸音部材６のみが固定されているが、例えば吸音部材６及び制振部材７が固定されてもよい。吸音部材６は、傾斜内面１３上に配される第一延出部９Ａの外側の面に固定されればよい。
制振部材７をフック部材９に固定する場合、制振部材７は例えばシェル２の外周面上に配される第二延出部９Ｂの外側の面に固定されればよい。また、例えば制振部材７と吸音部材６とが、第一延出部９Ａあるいは第二延出部９Ｂの外側の面に順次積層して固定されてもよい。また、例えば制振部材７をフック部材９として構成し、吸音部材６を第一延出部９Ａに固定してもよい。
【００４３】
吸音部材６や制振部材７がシェル２に対して着脱自在である場合には、スネアドラムを演奏する音楽のジャンルや場所に応じて、倍音のサステインの長さを容易かつ適切に調整することが可能となる。
また、着脱手段がクリップ部材８やフック部材９であれば、着脱手段の構成要素を予めシェル２に固定しておく必要が無いため、吸音部材６や制振部材７が不要である場合には、着脱手段の構成要素がない通常のスネアドラムとして使用できる。
【００４４】
また、着脱手段がフック部材９である場合には、フック部材９をドラムヘッドと同様に、シェル２の軸方向からシェル２の開口の縁部１１に取り付けることができる。このため、吸音部材６や制振部材７を簡単にシェル２に取り付けることが可能となる。
また、制振部材７をクリップ部材８やフック部材９等の着脱手段として構成する場合には、着脱手段の構成要素を最小限に抑えることができる。
【００４５】
また、複数の吸音部材６や制振部材７をシェル２の開口の縁部１１の周方向に複数配列する場合、複数の吸音部材６や制振部材７は、それぞれ有効振動膜部２２の軸線（シェル２の軸線）を基準として互いに回転対称あるいは線対称となる位置に配されてもよい。
複数の吸音部材６や制振部材７が、回転対称あるいは線対称となる位置に配され、不等間隔で配列されても、ある程度の対称性が保たれるため、ドラムヘッド３の振動態様を吸音部材６や制振部材７を設けない通常のドラムに近づけることができる。
ただし、複数の吸音部材６や制振部材７を不等間隔で配列した構成では、複数の吸音部材６や制振部材７を等間隔で配列した構成と比較して、対称性が一部崩れ、ドラムヘッド３の振動態様が通常のドラムから若干変化する場合がある。このため、複数の吸音部材６や制振部材７は等間隔で配列される方がより好ましい。
【００４６】
また、シェル２は例えば木製であってもよい。この場合、シェル２は上記実施形態のような折り返し部１５を有さないが、傾斜内面１３を有する。木製のシェル２は、制振部材７と同様に、シェル２の振動を抑制する、すなわち、有効振動膜部２２の振動がシェル２に伝わることで有効振動膜部２２から振動エネルギーを奪う機能を有することがある。このため、シェル２が木製である場合には、例えば制振部材７がシェル２に取り付けられなくてもよい。
【００４７】
本発明のドラムは、スネアドラムに限らず、例えばタムやバスドラムなど、筒状のシェルの両方の開口にドラムヘッドを取り付けた他のドラムに適用されてもよい。
また、本発明のドラムは、ドラムスティックやフットペダル、スナッピの他、マレットや手など任意の手段によって打撃されることで音が発生する任意のドラムに適用することができる。
また、本発明のドラムは、筒状に形成されて二つの開口を有する胴部を備えるドラムに適用されることに限らず、例えばティンパニ等のように一つの開口のみを有する胴部を備えるドラムにも適用できる。
【符号の説明】
【００４８】
１…スネアドラム（ドラム）、２…シェル（胴部）、３…ドラムヘッド、３Ａ…バターヘッド（ドラムヘッド）、３Ｂ…スネアサイドヘッド（ドラムヘッド）、６…吸音部材、７…制振部材、８…クリップ部材（着脱手段）、９…フック部材（着脱手段）、１１…縁部、１３…傾斜内面、１４…本体部、１５…折り返し部、１５ａ…第一面、１５ｂ…第二面、２２…有効振動膜部（膜部）
【図１】
0006439534.tif 000002
【図２】
0006439534.tif 000003
【図３】
0006439534.tif 000004
【図４】
0006439534.tif 000005
【図５】
0006439534.tif 000006
【図６】
0006439534.tif 000007
【図７】
0006439534.tif 000008